(57)【要約】　　　（修正有）【課題】リモートコントロール装置の機能は多様化の一途をたどり、表示内容はますます増える傾向にある。ただし、液晶表示画面の大きさには限りがあるため、表示内容の増加は相対的な表示面積の縮小を招き、表示が小さくて見にくいなどの不具合を生じている。表示が小さくて見にくいと、運転条件の設定に長い時間がかかったり、誤った運転条件が設定されることがある。そこで、設定しようとする運転条件がどのようなものか具体的に報知できる空気調和機のリモートコントロール装置を提供する。【解決手段】キー操作に際し、そのキー操作に対応の運転条件に関する説明文をヘルプキー９（補助キー）の同時操作に応じて液晶表示部２で表示する。【選択図】　　図１
2004003831.tif 000002
【特許請求の範囲】
【請求項１】
本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信する空気調和機のリモートコントロール装置において、
運転条件の設定を補助するための補助キーと、
前記キー操作に際し、そのキー操作に対応の運転条件に関する説明文を前記補助キーの同時操作に応じて前記表示部で表示する制御手段と、
を設けたことを特徴とする空気調和機のリモートコントロール装置。
【請求項２】
本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信する空気調和機のリモートコントロール装置において、
前記キー操作に際し、そのキー操作に対応する運転条件の設定が可能な状況にあるか否か判定する判定手段と、
この判定手段で設定不可能が判定されると、その旨の説明文を前記表示部で表示する制御手段と、
を設けたことを特徴とする空気調和機のリモートコントロール装置。
【請求項３】
本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信する空気調和機のリモートコントロール装置において、
当該装置の動作電源がセットされたとき、または当該装置の動作リセット時、当該装置の初期設定に関する説明文を前記表示部で表示する制御手段、を設けたことを特徴とする空気調和機のリモートコントロール装置。
【請求項４】
本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信する空気調和機のリモートコントロール装置において、
前記表示部は、その設定した運転条件をカラーで表示するとともに、その運転条件の表示色を運転条件で異ならせる制御手段と、
運転条件の表示色を設定変更時と設定確定時で異ならせる制御手段と、
を設けたことを特徴とする空気調和機のリモートコントロール装置。
【請求項５】
本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信する空気調和機のリモートコントロール装置において、
前記表示部は、その設定した運転条件をカラーで表示するとともに、キー操作により設定される運転条件が室内設定温度であるとき、その室内設定温度を実際の室内温度との差に応じた色で表示する制御手段、を設けたことを特徴とする空気調和機のリモートコントロール装置。
【発明の詳細な説明】
【０００１】
【発明の属する技術分野】
この発明は、空気調和機の運転条件を設定するリモートコントロール装置に関する。
【０００２】
【従来の技術】
空気調和機の運転条件設定用として、ワイヤレス式のリモートコントロール装置が用いられる。
【０００３】
このリモートコントロール装置は、使用者のキー操作に応じて各種運転条件たとえば冷房、暖房等の運転モード、運転オン／オフ、室内設定温度、タイマー時刻、タイマー時間などを設定し、その設定した運転条件を液晶表示部で表示し且つ空気調和機へ向け赤外線光にて送信する。
【０００４】
【発明が解決しようとする課題】
リモートコントロール装置の機能は多様化の一途をたどり、表示内容はますます増える傾向にある。
【０００５】
ただし、液晶表示部の大きさには限りがあるため、表示内容の増加は相対的な表示面積の縮小を招き、表示が小さくて見にくいなどの不具合を生じている。表示が小さくて見にくいと、運転条件の設定に長い時間がかかったり、誤った運転条件が設定されることがある。
【０００６】
この発明は上記の事情を考慮したもので、
請求項１に係る発明の空気調和機のリモートコントロール装置は、設定しようとする運転条件がどのようなものか具体的に報知できることを目的としている。
【０００７】
請求項２に係る発明の空気調和機のリモートコントロール装置は、設定が不可能な運転条件についてその旨を適切に報知できることを目的とする。
【０００８】
請求項３に係る発明の空気調和機のリモートコントロール装置は、当該装置の初期設定が容易であることを目的とする。
【０００９】
請求項４および請求項５に係る発明の空気調和機のリモートコントロール装置は、運転条件の設定状況を一目で判りやすく報知できることを目的とする。
【００１０】
【課題を解決するための手段】
請求項１に係る発明の空気調和機のリモートコントロール装置は、本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信するものであって、運転条件の設定を補助するための補助キーと、上記キー操作に際し、そのキー操作に対応の運転条件に関する説明文を上記補助キーの同時操作に応じて前記表示部で表示する制御手段と、を設けている。
【００１１】
請求項２に係る発明の空気調和機のリモートコントロール装置は、本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信するものであって、上記キー操作に際し、そのキー操作に対応する運転条件の設定が可能な状況にあるか否か判定する判定手段と、この判定手段で設定不可能が判定されると、その旨の説明文を前記表示部で表示する制御手段と、を設けている。
【００１２】
請求項３に係る発明の空気調和機のリモートコントロール装置は、本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信するものであって、当該装置の動作電源がセットされたとき、または当該装置の動作リセット時、当該装置の初期設定に関する説明文を上記表示部で表示する制御手段、を設けている。
【００１３】
請求項４に係る発明の空気調和機のリモートコントロール装置は、本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信するものであって、上記表示部は、その設定した運転条件をカラーで表示するとともに、その運転条件の表示色を運転条件で異ならせる制御手段と、運転条件の表示色を設定変更時と設定確定時で異ならせる制御手段と、　を設けている。
【００１４】
請求項５に係る発明の空気調和機のリモートコントロール装置は、本体上面に空気調和機の各種運転条件を文字、イラスト、マークなどで表示する表示部と空気調和機の運転条件を設定する操作キーとを備え、キー操作に応じて各種運転条件を選択設定し、その設定した運転条件を表示部で表示し且つ空気調和機本体に送信するものであって、上記表示部は、その設定した運転条件をカラーで表示するとともに、キー操作により設定される運転条件が室内設定温度であるとき、その室内設定温度を実際の室内温度との差に応じた色で表示する制御手段、を設けている。
【００１５】
【発明の実施の形態】
以下、この発明の一実施形態について図面を参照して説明する。
【００１６】
図１において、１は空気調和機に付属されたワイヤレス式のリモートコントロール装置で、空気調和機の運転条件たとえば冷房モード、暖房モード、ドライモード、送風モード、運転オン／オフ、室内設定温度、タイマー時刻、タイマー時間などを使用者のキー操作に応じて設定し、それをコントロール対象機器である空気調和機に赤外線光にて送信する。
【００１７】
リモートコントロール装置１の本体には、上面の略半分から上の部分に、液晶表示部２、温度設定キー３，４、一時間運転キー５、運転／停止キー６が設けられる。表示部２は、各種運転条件を文字、イラスト、マークなどで表示する。
【００１８】
本体上面の略半分から下の部分に、上下方向のスライド開閉が自在な扉７が設けられる。この扉７を下方にスライドして開けると操作盤面が露出し、そこに、健康ドライキー８、ヘルプキー９、エアランドリーキー１０、運転切換キー１１、風向切換キー１２、風量切換キー１３、スイングキー１４、安眠運転キー１５、タイマー入キー１６、タイマー切キー１７、タイマー調節キー１８、予約キー１９、取消キー２０、リセットキー２１、時計キー２２、および確認キー２３が設けられる。
【００１９】
健康ドライキー８は、居住者に風を当てない除湿運転いわゆる健康ドライ運転を設定するためのもので、表面が緑色に着色されている。ヘルプキー９は、運転条件の設定を補助するための補助キーとして機能する。エアランドリーキー１０は、洗濯物を乾かす除湿運転いわゆるエアランドリー運転を設定するためのもの。運転切換キー１１は、冷房、暖房、自動、ドライ、送風等の運転モードを設定するためのもの。風向切換キー１２は、吹出ルーバの方向（吹出風の方向）を設定するためのもの。風量切換キー１３は、吹出風量を設定するためのもの。スイングキー１４は、吹出ルーバのスイング動作のオン／オフを設定するためのものである。
【００２０】
安眠運転キー１５は、就寝中に適した快適運転を設定するためのもので、表面が青色に着色されている。タイマー入キー１６は、タイマーによる運転開始時刻を設定するためのもの。タイマー切キー１７は、タイマーによる運転停止時刻を設定するためのもの。タイマー調節キー１８は、タイマーによる運転時間を設定するためのものである。
【００２１】
本体の裏面側に電池収納部２４が形成されていて、そこに動作電源として電池２５が収納される。
【００２２】
本体に搭載される制御回路を図２に示す。
【００２３】
制御の中枢となるＣＰＵ３０に、表示部２、キー入力部３１、　Ｉ／Ｏ（入出力）ポート３２、発振回路３３、送信部３４、および電池２５が接続される。
【００２４】
キー入力部３１は、本体上の各キーを構成要件としており、キー操作に応じた信号をＣＰＵ３０に入力する。発振回路３３は、動作に必要な所定周波数のクロック信号を発する。送信部３４は、キー操作により設定される運転条件を赤外線光により空気調和機本体に送信する。
【００２５】
ＣＰＵ３０は、主要な機能手段として次の［１］ないし［１０］を備える。
【００２６】
［１］キー操作に従って各種運転条件を設定する手段。
【００２７】
［２］設定した運転条件を送信部３４から空気調和機本体に送る手段。
【００２８】
［３］キー操作がないとき、各種運転条件の基本パターン情報を表示部２で一覧表示する制御手段。
【００２９】
［４］キー操作があったとき、そのキー操作に対応する運転条件のパターン情報を表示部２で拡大表示すると同時に、キー操作に対応しない他の運転条件の基本パターン情報を表示部２で縮小表示する制御手段。
【００３０】
［５］時計形の一対の画像パターンを表示部２で表示し、その両画像パターンのうち、一方の画像パターンの指針部分を現在時刻に合わせて動かし、他方の画像パターンの指針部分を設定されるタイマー時刻またはタイマー時間に合わせるアナログ表示手段。
【００３１】
［６］時計形の画像パターンを表示部２で表示し、その画像パターンの指針部分をタイマー残時間に合わせて動かすアナログ表示手段。
【００３２】
［７］キー操作に際し、そのキー操作に対応の運転条件に関する説明文をヘルプキー９の同時操作に応じて表示部２で表示する制御手段。
【００３３】
［８］キー操作に際し、そのキー操作に対応する運転条件の設定が可能な状況にあるか否か判定する判定手段。
【００３４】
［９］判定手段で設定不可能が判定されると、その旨の説明文を表示部２で表示する制御手段。
【００３５】
［１０］電池２５がセットされたとき、またはリセットキー２１の操作による動作リセット時、当該装置の初期設定に関する説明文を表示部２で表示する制御手段。
【００３６】
つぎに、上記の構成の作用を説明する。
【００３７】
（１）一覧表示
キー操作がないとき、図３に示すように、運転モード、設定温度、風量等の各種運転条件の基本パターン情報が表示部２で一覧表示される。基本パターン情報としては、予め定められた標準的な運転条件に対応するもの、また前回の運転で設定された運転条件に対応するものなど、いずれでもよい。
【００３８】
（２）拡大表示
一覧表示の状態で運転切換キー１１が操作されると、その運転切換キー１１に対応する運転条件のパターン情報として、たとえば冷房運転モードを表わす“冷房”という文字パターン情報が図４に示すように一覧表示に換わり拡大表示される。拡大表示される運転モードは、運転切換キー１１の操作ごとに切換えられる。確認キー２３が操作されると、そのとき表示されている運転モードが確定となる。
【００３９】
確定から所定時間が経過すると、図５に示すように、運転モードの拡大表示といっしょに、キー操作に対応しない設定温度、風量等の他の運転条件の基本パターン情報が縮小表示される。
【００４０】
このような拡大表示により、表示が小さくて見にくいという不具合を解消できる。運転条件の設定にかかる時間の短縮が図れるとともに、常に適正な運転条件を設定することができる。しかも、拡大表示と縮小表示の共存により、設定状態にある全ての運転条件を容易に把握することができる。
【００４１】
なお、運転切換キー１１の操作に際し、各運転モードを表わす複数の文字パターン情報を図６に示すように大きめに一覧表示し、その一覧表示した各文字パターン情報の一つを設定対象として枠で囲み、その枠を運転切換キー１１の押圧ごとに各文字パターン情報に対して順次に移していくようにしてもよい。確認キー２３の操作により、枠表示の運転モードを設定運転モードとして確定することになる。
【００４２】
（３）現在時刻とタイマー時刻の並列表示
図３の一覧表示がなされているとき、タイマー切キー１７が操作されると、　図７に示すように、時計形の一対の画像パターンが一覧表示に換わり表示部２で表示される。表示される両画像パターンのうち、一方（左側）の画像パターンは現在時刻のアナログ表示を担うもので、指針部分が現在時刻に合わせて動く。他方（右側）の画像パターンはタイマー切時刻（運転停止時刻）のアナログ表示を担うもので、指針部分がタイマーキー１８の操作に応じて動く。
【００４３】
このように、現在時刻のアナログ表示とタイマ切時刻のアナログ表示を一つの画面で並べることにより、タイマ切時刻を現在時刻と対比しながら容易かつ適確に設定することができる。
【００４４】
運転開始後は、図８に示すように、時計形の一つの画像パターンが表示部２で大きく表示される。この画像パターンは、上記タイマー切時刻までの残り時間いわゆるタイマー残時間のアナログ表示を担うもので、指針部分がタイマー残時間に合わせて動く。このアナログ表示により、タイマー残時間を一目で把握することができる。
【００４５】
タイマー入キー１６が操作された場合には、図７に示す右側の画像パターンがタイマー入時刻（運転開始時刻）のアナログ表示を担い、図８に示す画像パターンがタイマー入時刻までの残り時間（タイマー残時間）のアナログ表示を担うことになる。
【００４６】
なお、タイマー切キー１７（またはタイマー入キー１６）の操作に際し、現在時刻のアナログ表示とタイマ切時刻（またはタイマ入時刻）のアナログ表示に代えて、図９に示すように、現在時刻のデジタル表示とタイマ切時刻（またはタイマ入時刻）のデジタル表示を一画面で行うようにしてもよい。運転開始後は、　図１０に示すように、砂時計の画像パターンを表示し、砂時計の砂部分をタイマー残時間に合わせて徐々に消すとともに、砂時計の画像パターンの下方にタイマー残時間を逐次にデジタル表示する。
【００４７】
（４）確認表示
運転中などに確認キー２３が操作されると、図１１に示すように、設定されている全ての運転条件が所定時間ずつ順次に拡大表示される。
【００４８】
図１２に示すように、全ての運転条件についての拡大表示を流れるようにスクロールしてもよい。情報が読みやすくなる。
【００４９】
全ての運転条件を順次にイラスト表示してもよい。イラスト例として、冷房運転モードを図１３、暖房運転モードを図１４、設定風量“微風”を図１５、設定風量“弱風”を図１６、設定風量“強風”を図１７に示している。
【００５０】
（５）説明文の表示
健康ドライキー８とヘルプキー９が同時操作されると、図１８に示すように、健康ドライ運転（ヘルシードライとも称す）に関する説明文が表示部２で表示される。
【００５１】
エアランドリーキー１０とヘルプキー９が同時操作されると、図１９に示すように、エアランドリー運転に関する説明文が表示される。
【００５２】
これら説明文の表示により、各キーがどのような運転条件を設定するものであるかを使用者が適確に知ることができる。
【００５３】
（６）運転条件設定の可否表示
たとえば健康ドライ運転が実行されているとき、安眠運転キー１５を操作しても、システム上、安眠運転モードは設定できない。
【００５４】
この場合、図２０に示すように、安眠運転モードを設定できない旨の説明文が表示される。この例では、説明文が二つあるため、両説明文がたとえば５秒間ずつ交互に表示される。
【００５５】
この表示により、設定ができない旨を使用者が適切に知ることができ、信頼性が確保される。
【００５６】
（７）本体に新しい電池２５がセットされたとき、またはリセットキー２１の操作による動作リセットがなされたとき、当該リモートコントロール装置１の初期設定に関する説明文が表示部２で表示される。
【００５７】
たとえば、図２１に示すように、現在時刻を設定するための操作手順が複数の説明文として順次に表示される。使用者は、この表示に従ってキー操作を行うことにより、初期設定を容易に完了することができる。
【００５８】
（８）変形例
ａ．表示部２をカラー液晶表示部とし、カラー表示可能とし、運転条件の表示色を運転条件ごとに異ならせるようにしてもよい。
【００５９】
たとえば、冷房運転モードを図２２に示すように青色文字で表示し、暖房運転モードを図２３に示すように赤色文字で表示する。表示色としては、運転モードを感覚的に連想させるものが好ましい。
【００６０】
ｂ．設定室内温度については、図２４に示すように、複数個のブロックを配列表示し、これらブロックのうち、設定温度値に対応する位置のブロックを、その設定温度値に応じた色で点灯表示するようにしてもよい。
【００６１】
表示色としては、設定温度値を感覚的に連想させるものが好ましく、たとえば１７〜２２℃については青色、２３〜２６℃について水色、２７〜２８℃について橙色、２９〜３０℃について赤色を割り当てる。
【００６２】
ｃ．タイマー時刻については、文字表示の色を設定変更時と設定確定時で変化させるようにしてもよい。
【００６３】
たとえば、図２５に示すように、設定変更の最中は青色表示、設定確定により赤色表示へと変える。その後、３秒が経過すると、他の情報と同じ黒色表示に変える。
【００６４】
ｄ．設定される運転条件のマーク（健康ドライマーク、安眠運転マーク）を対応するキー（健康ドライキー８、安眠運転キー１５）に付けられた色（緑色、青色）と同じ色にて表示するようにしてもよい。
【００６５】
たとえば、図２６に示すように、健康ドライキー８が操作されると、その健康ドライキー８に付されているのと同じ青色の星マークを点灯表示する。安眠運転キー１５が操作されると、その安眠運転キー１５に付されているのと同じ緑色の水滴マークを点灯表示する。なお、電池２５の容量が減少してその交換時期になると、赤色の電池マークを点灯表示する。
【００６６】
ｅ．設定室内温度について、設定温度値を実際の室内温度との差に応じた色で表示するようにしてもよい。室内温度は、本体内に室内温度センサを設けて検知したり、あるいは空気調和機本体から室内温度情報を受信して検知することが可能である。
【００６７】
たとえば、設定温度値が２６℃、実際の室内温度が２７℃の場合、図２７に示すように、設定温度値２６℃を青色表示する。この青色表示により、使用者は、設定温度値が室内温度より低いことを容易に察知できる。設定温度値が２８℃、実際の室内温度が２７℃の場合、図２８に示すように、設定温度値２８℃を赤色表示する。この赤色表示により、使用者は、設定温度値が室内温度より高いことを容易に察知できる。
【００６８】
ｆ．設定される運転条件を図２９に示すメリットマークの色別表示で報知するようにしてもよい。
【００６９】
たとえば、安眠運転ではメリットマークを青色で点灯表示し、パワフル運転ではメリットマークを赤色で点灯表示する。
【００７０】
ｇ．空気調和機本体と相互通信が可能な場合に、空気調和機本体から異常コード信号（たとえばコンプレッサ異常）が入ったとき、カラー液晶表示部２の表示内容を赤色の点滅表示に変えるようにしてもよい。
【００７１】
ｈ．カラー液晶表示部２の表面にタッチパネルを設け、そのタッチパネルに対するタッチ操作をカラー液晶表示部２の表示内容に応じた入力情報として取込むようにしてもよい。
【００７２】
たとえば、図３０に示すように、カラー液晶表示部２で温度や時間を設定対象とする一対の数値増減用三角マークを表示し、これら三角マークに対するタッチ操作を数値入力として取込む。この場合、タッチ操作されている三角マークを赤色で点灯表示する。
【００７３】
ｉ．運転条件設定の可否表示の変形例であり、運転条件の設定が不可能な旨を“設定できません”という説明文により報知する。
【００７４】
たとえば、健康ドライ運転が実行されているとき、安眠運転キー１５を操作しても、システム上、安眠運転モードは設定できない。このとき、図３１に示すように、“設定できません”という説明文を赤色で点滅表示する。
【００７５】
ｊ．これらａ〜ｉまでのカラー表示を採用することにより、運転条件の設定状況を一目で判りやすく報知することができる。
【００７６】
【発明の効果】
以上述べたように、
請求項１に係る発明の空気調和機のリモートコントロール装置は、設定しようとする運転条件がどのようなものか具体的に報知できる。
【００７７】
請求項２に係る発明の空気調和機のリモートコントロール装置は、設定が不可能な運転条件についてその旨を適切に報知できる。
【００７８】
請求項３に係る発明の空気調和機のリモートコントロール装置は、当該装置の初期設定が容易である。
【００７９】
請求項４および請求項５に係る発明の空気調和機のリモートコントロール装置は、運転条件の設定状況を一目で判りやすく報知できる。
【図面の簡単な説明】
【図１】この発明の一実施形態の構成図。
【図２】同実施形態の制御回路のブロック図。
【図３】同実施形態の一覧表示を示す図。
【図４】同実施形態の運転モード設定時の拡大表示を示す図。
【図５】同実施形態の運転モード設定時の拡大表示と縮小表示を示す図。
【図６】同実施形態の運転モード設定時の表示の変形例を示す図。
【図７】同実施形態の時刻表示とタイマー時刻表示を示す図。
【図８】同実施形態のタイマー残時間の表示を示す図。
【図９】同実施形態の時刻表示とタイマー時刻表示の変形例を示す図。
【図１０】同実施形態のタイマー残時間の表示の変形例を示す図。
【図１１】同実施形態の確認表示を示す図。
【図１２】同実施形態の確認表示の変形例を示す図。
【図１３】同実施形態の冷房運転モードのイラスト表示を示す図。
【図１４】同実施形態の暖房運転モードのイラスト表示を示す図。
【図１５】同実施形態の設定風量“微風”のイラスト表示を示す図。
【図１６】同実施形態の設定風量“弱風”のイラスト表示を示す図。
【図１７】同実施形態の設定風量“強風”のイラスト表示を示す図。
【図１８】同実施形態の説明文表示を示す図。
【図１９】同実施形態の説明文表示の別の例を示す図。
【図２０】同実施形態の設定可否の説明文表示を示す図。
【図２１】同実施形態の初期設定手順の表示を示す図。
【図２２】同実施形態の変形例として冷房運転モードのカラー表示を示す図。
【図２３】同実施形態の変形例として暖房運転モードのカラー表示を示す図。
【図２４】同実施形態の変形例として設定室内温度のカラー表示を示す図。
【図２５】同実施形態の変形例としてタイマー時刻の変更および確定に際してのカラー表示を示す図。
【図２６】同実施形態の変形例としてマークのカラー表示を示す図。
【図２７】同実施形態の変形例として設定室内温度と室内温度との対比に基づくカラー表示を示す図。
【図２８】同実施形態の変形例として設定室内温度と室内温度との対比に基づくカラー表示の別の例を示す図。
【図２９】同実施形態の変形例としてメリットマークのカラー表示を示す図。
【図３０】同実施形態の変形例としてタッチパネル操作によるカラー表示を示す図。
【図３１】同実施形態の変形例として設定可否の説明文表示を示す図。
【符号の説明】
１…本体、２…液晶表示部、３，４…温度設定キー、５…運転／停止キー、　６…扉、３０…マイクロコンピュータ、４１，４２…７セグメント表示パターン、４３，４４…表示パターン。
【図１】
2004003831.tif 000003
【図２】
2004003831.tif 000004
【図３】
2004003831.tif 000005
【図４】
2004003831.tif 000006
【図５】
2004003831.tif 000007
【図６】
2004003831.tif 000008
【図７】
2004003831.tif 000009
【図８】
2004003831.tif 000010
【図９】
2004003831.tif 000011
【図１０】
2004003831.tif 000012
【図１１】
2004003831.tif 000013
【図１２】
2004003831.tif 000014
【図１３】
2004003831.tif 000015
【図１４】
2004003831.tif 000016
【図１５】
2004003831.tif 000017
【図１６】
2004003831.tif 000018
【図１７】
2004003831.tif 000019
【図１８】
2004003831.tif 000020
【図１９】
2004003831.tif 000021
【図２０】
2004003831.tif 000022
【図２１】
2004003831.tif 000023
【図２２】
2004003831.tif 000024
【図２３】
2004003831.tif 000025
【図２４】
2004003831.tif 000026
【図２５】
2004003831.tif 000027
【図２６】
2004003831.tif 000028
【図２７】
2004003831.tif 000029
【図２８】
2004003831.tif 000030
【図２９】
2004003831.tif 000031
【図３０】
2004003831.tif 000032
【図３１】
2004003831.tif 000033